(57)【特許請求の範囲】
【請求項１】
医療装置であって、該医療装置が、
内視鏡と共に使用される内視鏡ツールであって、互いに対して摺動可能な第１および第２部材を備える内視鏡ツールと、
前記内視鏡ツールの近位端部に接続された制御部であって、ハウジングと、前記ハウジングに接続されるとともに前記第１部材および／または前記第２部材が接続される作動機構を備える、制御部と、
を備え、
前記作動機構は、
第１方向への移動が前記第１部材の作動を提供するとともに第２方向への移動が前記第２部材の作動を提供するジョイスティック制御部であり、
１本の指で偏向制御レバーの作動および前記内視鏡ツールの制御が提供されるよう、前記ジョイスティック制御部を前記内視鏡の前記偏向制御レバーに接続するコネクタを備える、医療装置。
【請求項２】
前記ジョイスティック制御部が導管を通り導かれる硬い可撓性のケーブルに接続され、ジョイスティックの第１方向への移動により第１部材が作動される、請求項１に記載の医療装置。
【請求項３】
前記第１部材が外筒を備え、かつ前記第２部材がバスケットデバイスを備える、請求項２に記載の医療装置。
【請求項４】
前記外筒の近位端部が前記作動機構に接続され、かつ前記バスケットデバイスの近位端部が前記ハウジングに接続される、請求項３に記載の医療装置。
【請求項５】
前記バスケットデバイスの近位端部が前記作動機構に接続され、かつ前記外筒の近位端部が前記ハウジングに接続される、請求項３に記載の医療装置。
【請求項６】
前記コネクタが、前記内視鏡の制御部の前記偏向制御レバーに長軸方向にスライドオンするような大きさおよび形である、請求項１に記載の医療装置。
【請求項７】
前記コネクタが、前記内視鏡の制御部の前記偏向制御レバーに弾性的にスナップオンするような大きさおよび形である、請求項１に記載の医療装置。
【請求項８】
前記第１部材および／または前記第２部材の前記作動機構への連結部が枢動部材を備える、請求項１に記載の医療装置。
【請求項９】
前記第１部材および／または前記第２部材の前記作動機構への連結部がバネ部材を備える、請求項１に記載の医療装置。
【請求項１０】
内視鏡、および
前記内視鏡に接続された請求項１に記載の医療装置
を備える装置。
【請求項１１】
医療装置であって、
湾曲部およびハンドル部を備える内視鏡と、
エフェクタ部および前記エフェクタ部に接続された少なくとも１つの制御ワイヤーを有する内視鏡治療用装置と、
前記内視鏡治療用装置を前記内視鏡に接続する連結部であって、前記ハンドル部の表面に沿って前記制御ワイヤーを延在するよう構成された当該連結部と、
前記ハンドル部に配置され、かつ前記湾曲部を制御するために第１方向に直線的に移動するよう構成された制御レバーと、
前記制御レバーに配置され、かつ前記制御レバーの第１方向とは異なる第２方向に直線的に移動するよう構成された作動機構であって、前記作動機構が前記エフェクタ部を制御するために前記制御ワイヤーの近位端部を接続する連結部を含む、作動機構と、
を備える医療装置。
【発明の詳細な説明】
【技術分野】
【０００１】
例示的かつ非限定的な実施形態は、一般的に内視鏡に関連し、特に内視鏡と共に使用される装置に関連する。
【背景技術】
【０００２】
従来開発の簡単な説明
特許文献１は、バスケットを有する医療装置を開示している。特許文献２は、可変サイズの回収バスケットを開示している。
【先行技術文献】
【特許文献】
【０００３】
【特許文献１】米国特許第６，７６４，４９９号明細書
【特許文献２】米国特許第８，２１１，１１５号明細書
【発明の概要】
【課題を解決するための手段】
【０００４】
以下の概要は、単なる例示であることを意図している。概要は、特許請求の範囲を限定するものではない。
【０００５】
１つの態様によると、医療装置は、互いに対して長軸方向に摺動可能な第１および第２部材を含む内視鏡ツールと、内視鏡ツールの近位端部に接続された制御部とを含む。制御部は、ハウジングおよび作動機構を含む。作動機構は、ハウジングに長軸方向に摺動可能に接続される。作動機構は、そこに接続された第１部材および／または前記第２部材を有する。ハウジングは、ハウジングを内視鏡の制御部に取り外し可能に接続するよう構成されたコネクタを含む。
【０００６】
他の態様によると、例示的な方法は、内視鏡装置の遠位端部を内視鏡の作業チャネルに挿入するステップであって、内視鏡装置が内視鏡ツールを備え、内視鏡ツールが互いに対して長軸方向に摺動可能な第１および第２部材を備える、ステップと、内視鏡装置の近位端部を内視鏡の制御部に取り外し可能に接続するステップであって、近位端部がハウジングおよび作動機構を備え、作動機構がハウジングに摺動可能に接続され、作動機構がそこに接続された第１部材および／または第２部材を有し、かつ前記ハウジングがハウジングを内視鏡の制御部に取り外し可能に接続するコネクタを備える、ステップとを備える。
【０００７】
別の態様によると、例示的な方法は、内視鏡ツールを設けるステップであって、内視鏡ツールが互いに対して長軸方向に摺動可能な第１および第２部材を備える、ステップと、制御部を内視鏡ツールの近位端部に接続するステップであって、制御部がハウジングおよび作動機構を備え、作動機構がハウジングに長軸方向に摺動可能に接続され、作動機構がそこに接続された第１部材および／または第２部材を有し、かつハウジングがハウジングを内視鏡の制御部に取り外し可能に接続するよう構成されたコネクタを備える、ステップとを備える。
【０００８】
前述の態様および他の特徴は、 添付図面に関連する以下の記載において説明される。
【図面の簡単な説明】
【０００９】
【図１】内視鏡の側面図である。
【図２】内視鏡装置の内視鏡ツールの遠位端部の側面図である。
【図３Ａ】図１に示す内視鏡の遠位端部からの図２に示すツールの延伸を示す側面図である。
【図３Ｂ】内視鏡ツールの別の実施形態の側面図である。
【図４Ａ】スライダー／作動機構が第１位置にある図２に示す内視鏡装置の制御部の平面図である。
【図４Ｂ】スライダー／作動機構が第２位置にある図４Ａと同様の平面図である。
【図５Ａ】スライダー／作動機構が第１位置にある図２に示す内視鏡装置の制御部の平面図である。
【図５Ｂ】スライダー／作動機構が第２位置にある図５Ａと同様の平面図である。
【図６】本発明の結合された機構の概略図である。
【図７】内視鏡の偏向制御部に配置された内視鏡装置の制御部の平面図である。
【図８】内視鏡でのスライダー／作動機構の動きを示す図７と同様の平面図である。
【図９】スライドオン制御を有する内視鏡の斜視図である。
【図１０】内視鏡の偏向制御部に取り外し可能に接続された図９の内視鏡装置制御部を示す図である。
【図１１】図１０に示す制御部の別の実施形態、および内視鏡の一部である。
【図１２】図１１に示す制御部の別の実施形態の斜視図である。
【図１３】内視鏡装置制御部の別の例示的な実施形態の概略図である。
【図１４】図１３に示す制御部のいくつかの構成要素を示す概略図である。
【図１５】内視鏡装置制御部の別の例示的な実施形態を示す概略図である。
【図１６】内視鏡装置制御部の別の例示的な実施形態を示す概略図である。
【図１７】内視鏡装置制御部の別の例示的な実施形態を示す概略図である。
【図１８】内視鏡装置制御部の別の例示的な実施形態を示す概略図である。
【図１９】内視鏡装置制御部の別の例示的な実施形態を示す概略図である。
【図２０】内視鏡装置制御部の別の例示的な実施形態を示す概略図である。
【図２１】内視鏡装置制御部の別の例示的な実施形態を示す概略図である。
【図２２】内視鏡装置制御部の別の例示的な実施形態を示す概略図である。
【図２３】内視鏡装置制御部の別の例示的な実施形態を示す概略図である。
【発明を実施するための形態】
【００１０】
図１を参照すると、例示的な実施形態における機構を組み込んだ装置１０の側面図が示されている。本発明は、図面に示される実施形態を参照して説明されるが、本発明は、多くの別の実施形態の形によって具現化できることを理解されるべきである。さらに、任意の適切な大きさ、形、またはタイプの要素または材料を使用することができる。
【００１１】
この例において装置１０は、例えば患者の尿道などを通り患者の体に部分的に挿入されるよう構成された内視鏡医療装置である。内視鏡１０は、制御部分１２および制御部分１２に接続された可撓性の、または半可撓性のシャフト１４を一般的に備える。制御部分１２は、装置のためのハンドルを形成する。シャフト１４は、受動的偏向部１６およびシャフト１４の遠位端部の能動的偏向部（湾曲部）１８を含む。能動的偏向部１８を制御するための制御システム２２は、制御部分１２から能動的偏向部１８へ延在する。制御システム２２は、湾曲制御ワイヤー、ワイヤー外筒、および作動装置２８を一般的に備える。ワイヤーは一端部で作動装置２８に接続され、かつ第２端部で能動的偏向部１８に接続される。
【００１２】
例示的な実施形態において、制御部分１２は、使用者作動スライドまたはレバー（制御レバー）３０を有する。レバー３０は、作動装置２８に接続される。作動装置２８は、制御システム２２のワイヤーを引っ張り、かつ解放するよう構成される。レバー３０が使用者によって動かされる場合、作動装置２８が動かされる。作動装置２８は、例えば他方を解放しながら一方のワイヤーを引っ張るために制御部分１２に回転可能に接続されたドラムまたはプーリーとすることができる。別の実施形態において、作動装置は、制御システム２２のワイヤーを引っ張りかつ解放するよう構成されたロッカーアームなどの任意の適切なタイプの装置とすることができる。制御システムが２組以上の制御ワイヤーを有することができる他の別の実施形態においては、制御部分は、追加的な1対の湾曲制御ワイヤーを駆動する追加的な作動装置、および対応する制御部を有する。さらに他の別の実施形態においては、制御部分は、ラックおよびピニオン機構を有するノブ、または制御システムのための他の適切な使用者作動制御部を有することができる。
【００１３】
シャフト１４は、制御部分１２から片持ち状に支持されている。可撓性のシャフト１４は、制御システム２２の湾曲制御ワイヤー、光ファイバー画像束、光ファイバー照明束、および作業チャネルを含む。器具をシャフトの作業チャネル２４に挿入するためのポート６０が制御部分１２に配置されている。制御部分１２はまた、光源（図示せず）を照明束へ連結する光源ポスト６２を有する。さらに、制御部分１２は、画像束によって前端部２０より送信された画像を使用者が見るための接眼レンズ６３を有する。別の実施形態においては、可撓性のシャフトは、その中に異なるシステムを収容することができる。シャフト１４は、一般的にフレーム２６、カバー３２および対物ヘッド３４を備える。
【００１４】
また図２〜図３Ａを参照すると、内視鏡ツール３６の遠位端部が示されている。ツール３６は、装置１０に取り付けられ、かつ作業チャネル２４からシャフト１４の遠位端部２０の外へ延在するように構成されている。この例においてツール３６は、外科医制御バスケットデバイス（ＳＣＢＤ）である。ツール３６は、バスケットデバイス５０および外筒５６を備えるアセンブリ３３を含む。バスケットデバイス５０は、遠位端部にバスケット部５２、および外筒５６を通りツール３６の近位端部へ延在するシャフト部５４を備える。シャフト部５４は、バスケット部５２を動かす制御ワイヤーとして機能する。外筒５６に対して前方位置および後方位置の間でバスケットデバイス５０を移動させるために、外筒５６およびバスケットデバイス５０は、互いに対して長軸方向に移動可能である。図２および図３Ａは、外筒５６の前端開口部６６から外へバスケット部５２を配置させるように、外筒５６に対して前方に動いたシャフト部（制御ワイヤー）５４を示す。バスケットデバイス５０の外筒５６の前方位置において、バスケット部５２は、外筒５６の内部に配置され、バスケット部５２は、外筒５６の内部に適合するように外筒５６によってより小さい形に折りたたまれる。
【００１５】
また図４Ａ、図４Ｂおよび図６を参照すると、この例示的な実施形態において、レバー３０は、作動装置２８のための偏向制御部材７０、およびツール３６のためのツール作動装置の両方である。レバー３０のフレーム７４は、レバー３０が図７の矢印７６によって示されるように前後に回転すると作動装置２８を回転させることができるように作動装置２８に接続される。ツール作動装置７２は、矢印８０によって示されるように横方向に摺動することができるように、ツール作動装置フレーム７４’のスリット１００に移動可能に取り付けられたスライダー部材７８、または作動機構を備える。シャフト部５４の近位端部５８は、位置５９においてスライダー部材７８に固定されるが、取り外し可能に取り付けられる。外筒５６の近位端部５７は、レバーフレーム７４に固定されるが、取り外し可能に接続される。
【００１６】
ツール３６は、使用者によって作業チャネル２４に挿入され、外筒５６およびシャフト部５４の近位端部５７，５８は、レバーフレーム７４およびスライダー部材７８にそれぞれ接続される。図４Ａは、図２および図３Ａに示すように外筒５６の前端を越えて延在するバスケット部５２に対応する作業位置におけるツール作動装置７２を示す。図４Ｂは、外筒５６の前端の内部に配置されたバスケット部５２に対応するホームポジションにおけるツール作動装置７２を示す。図４Ａおよび図４Ｂを参照することによって明らかなように、外筒５６に対してシャフト部（制御ワイヤー）５４を動かすためにスライド部材７８は、ツール作動装置フレーム７４’上を移動することができ、それによりツール作動装置フレーム７４’上のスライド部材７８の位置に基づいてバスケット部５２を開閉する。別の実施形態の１つのタイプにおいて、図５Ａ〜図５Ｂの例に関して後述するように、シャフト部（制御ワイヤー）５４に対して外筒５６を移動するようにツール作動装置７２を構成することができる。
【００１７】
図５Ａ〜図５Ｂを参照すると別の例が示されている。この例において、レバー３０はまた、作動装置２８のための偏向制御部材７０、およびツール３６のためのツール作動装置７２の両方である。レバー３０が図７の矢印７６によって示されるように前後へ回転されると、作動装置２８を回転することができるように、レバー３０のフレーム７４が作動装置２８に接続されている。ツール作動装置７２は、矢印８０によって示されるように横方向に摺動することができるようにツール作動装置フレーム７４’のスリット１００に移動可能に取り付けられたスライダー部材７８を備える。シャフト部５４の近位端部５８は、位置５９において固定されるが、取り外し可能にレバーフレーム７４に取り付けられる。外筒５６の近位端部５７は、固定されるが、取り外し可能にスライダー部材７８に接続される。
【００１８】
ツール３６は、使用者によって作業チャネル２４に挿入され、外筒５６およびシャフト部５４の近位端部５７，５８は、スライダー部材７８およびレバーフレーム７４にそれぞれ接続される。図５Ａは、図２および図３Ａに示すようにバスケット部５２が外筒５６の前端を越えて延在するようにバスケットデバイス５０上で後退する外筒５６に対応する作業位置におけるツール作動装置７２を示す。図５Ｂは、外筒５６の前端の内部に配置されたバスケット部５２に対応するホームポジションにおけるツール作動装置７２を示す。図５Ａおよび図５Ｂを参照することによって明らかなように、バスケットデバイス５０に対して外筒５６を動かすためにスライド部材７８は、ツール作動装置フレーム７４’上を移動することができ、それによりツール作動装置フレーム７４’上のスライド部材７８の位置に基づいてバスケット部５２を開閉する。
【００１９】
図７〜図８から明らかなように、ツール３６は、制御部分１２の外側の周囲に延在する。ツール３６は、摩擦またはカップリング機構によって作業チャネル２４および／またはポート６０に摺動可能に連結される。使用者は、シャフト１４の遠位端部に対してツール３６の前端をポート６０の中および外へ伸ばし、かつ後退させるように、ツール３６を手動で移動させることができる。図８に示す例において、スコープの先端は、上へ偏向し（レバーが下）、かつバスケットは外筒の外へまだ展開されていない（親指スライダーが右）。医師は、スコープの偏向、およびバスケットの活性化の両方を彼／彼女の１本の親指で制御することができる。
【００２０】
図９および図１０によって示されるように、この概念はまた既存の内視鏡８４へのアドオン８２として設計することができる。この場合、バスケット起動アドオン８２は、既存の従来の（または変更された）スコープレバー３０’上を摺動する。ツール作動装置フレーム７４’は、レバー３０’の片持ちレバーフレーム７４上を摺動することができる。
【００２１】
また図３Ｂを参照すると、別の例においてツールは、外科医制御バスケットデバイス（ＳＣＢＤ）ではない。この例においては、ツール３６’は、把持具であるデバイスの先端を有するか、または結石回収デバイスの任意の他の形とすることができる。この例において、ツール３６’は、作業ヘッド５０’およびシャフト５４を有する。ツール３６’は、ツール作動装置７２によって作動され、シャフト５４はツール作動装置７２に接続されている。
【００２２】
本明細書に記載されたような機構は、外科医制御バスケットおよびスコープ設計のために使用することができ、外科医は、挿入部分を保持するために一方の手を、および内視鏡のハンドルを保持し、かつスコープの偏向を制御するために他方の手を使用することができる。従来は、バスケット／ＥＴデバイスを同時に制御するために自由な手はなかった。このため、バスケットのハンドルを保持し、およびバスケットを展開／回収するために手伝いが必要であった。本明細書に記載されるような機構により、１本の親指で、他人の助けなしで医師がスコープの偏向およびバスケットの展開の両方を制御することが可能となる。本明細書に記載されるような機構は、組み合わされたバスケット親指スライダーおよびスコープレバーを１つの作動機構、レバー３０または３０’として提供するために使用することができる。したがって、遠位端部のスコープの偏向のためのレバーは、バスケットの作動のための統合された親指スライダーを有することができる。
【００２３】
本明細書に記載されたような機構は、内視鏡、砕石デバイス、腎臓結石保持バスケット、把持具、クリップオンバスケット制御装、および／または回転可能な取り外し可能な結石バスケットに関連することができる。泌尿器科砕石および手術工程は、把持すること、または生検鉗子および外筒を通り延在する制御ワイヤーによって作動する保持バスケットが必要である。最もよくある器具は、内視鏡のハンドルとは個別のハンドルに沿って移動するスライダーを有し、摺動動作およびロック機構によってデバイスを操作する。既存のデバイスは、結石回収処置を効果的に実行するために２人以上の人が必要であるように設計される。これは、既存のデバイスをそれぞれ操作するために１本または２本の手が必要であり、かつ処置を適切に実行するためにデバイスを同時に協調させなければならないためである。例えば、以下の機能のそれぞれを実行し、操作、および制御するために１本、または２本の手が必要である：
−  内視鏡
−  洗浄流速
−  以下のような付属品
＊ガイドワイヤ
＊カテーテル
＊アクセス外筒
＊バルーンダイレータ
＊把持具
＊ステント
＊バスケット
【００２４】
このため、第一外科医は、一般的に医療助手または看護師によって補助される。典型的には、治療する外科医は、内視鏡の片手および両手制御の間を切り替え、上記の他の活動を断続的に行うために自由な手を使用する。したがって結石回収デバイスを同時に効果的に制御することができない。バスケット内の腎臓結石片を撮像するプロセスは、以下を含むことができる。
−  内視鏡で破片を位置決めする
−  バスケットおよび外筒を適切に位置決めする
−  再度位置決めする必要がないように破片を動かさないようにバスケットを注意深く展開（開く）する
−  バスケットワイヤーが結石片を囲むように開口バスケットを回転させる
−  バスケットワイヤーが結石片を把持するようにバスケットを注意深く後退させる（閉じる）
−  アクセス外筒、または患者の組織内で断片を確実にスタックさせないように内視鏡およびバスケットの両方を患者から注意深く除去する、および
−  最後に患者の体の外でバスケットまたは把持具から結石片を解放する
【００２５】
上述の重要なステップの１つは、結石片の均質な撮像のために、破片を誤って動かすことなく、または可能であれば回収デバイスから落とすことなくバスケットを適切に回転させることである。腎臓結石の破片を「釣り上げ」および撮像するプロセスにおいて、バスケットが閉じる場合に破片がなくなることが多い。これは、通常バスケットが後に移動し、外筒が固定されているために起こる。そのうえ、大きい結石が破壊される際に、時々結石片は、医師の視覚を不明瞭にし始めるため、断続的に結石を粉砕し、破片を回収するために作業チャネルの内外へ器具が出入りする。これには、結石回収デバイスを砕石または他の付属品に素早く交換することができなければならない。
【００２６】
本明細書に記載される機構は、内視鏡および結石回収デバイスの片手制御のために設計されている。外科医は、片手のみを用いて内視鏡およびバスケット制御装置の両方を保持することができる。第２の手は、追加的な操作、付属品の変更および調整、および注射器または液体容器アダプタバルブを用いた洗浄のために使用することができる。基本的に、これにより、外科医が追加的な専門家の補助なしで全体の処置を行うことが可能となる。デバイスにより、外筒が固定バスケットとともに移動することができる、または開閉しながら外筒およびバスケットの両方が同時に移動することができる。この機構は、バスケットの閉工程の間に結石の破片がなくなる可能性を低減する。これは、同じ手での結石回収デバイスの回転、迅速な除去および内視鏡からの分離、および迅速な挿入および内視鏡への再取付を支持する。
【００２７】
また図１１を参照すると、内視鏡１００の制御部分１２の一部が別の例示的な実施形態によって示されている。内視鏡１００は、作業ポート入口６０および偏向制御レバー３０’を含む。内視鏡装置１０２は、内視鏡ツール３６および制御部１０４を備える。内視鏡ツール３６は、外筒５６およびバスケットデバイス５０によって上述したものと同じである。制御部１０４は、ハウジング１０６およびスライダー１０８、または作動機構を備える。ハウジング１０６は、偏向制御レバー３０’にスナップオンするようなサイズおよび形のコネクタ１１０を含む。外筒およびバスケットデバイスは、スライダー１０８を取り付けることができる第１および第２部材を形成する。スライダーは、ハウジング１０６に長軸方向に取り付けられ、矢印１１２によって示されるように前後に摺動して、伸展位置および後退位置の間で外筒およびバスケットデバイスを互いに対して長軸方向に移動させる。
【００２８】
また図１２を参照すると、図１１に類似した例示的な実施形態が示されている。しかし、この例においては、制御部１０４への内視鏡装置３６の近位端部の連結部として回転コネクタ１１４が追加されている。図１２は、内視鏡偏向レバーとのクリップオンまたはスライドオン連結機構を有する外科医制御結石回収デバイス（ＳＣＲＤ）の回転バージョンの図である。例において、レバー１０８を左へスライドさせることにより、結石回収デバイスを展開し、かつレバー１０８を右にスライドさせることにより、結石回収デバイスを後退させることができる。ＳＣＲＤアセンブリ全体がしっかりと、しかし取り外し可能に内視鏡偏向レバー３０’に連結されているため、制御部１０４を押し上げること、または制御部を１０４引き下げることにより、内視鏡偏向レバー３０がまたそれぞれ上下に移動する。レバー３０’で内視鏡を偏向させること、およびスライダー１０８で結石回収デバイスを展開または後退させることの両方に使用されるのと同じ親指がまた、患者の体内で内視鏡１００を回転させるために使用され得る。結石回収デバイスの展開または開口は、回収ツール３６の結石回収部分５２を露出させることを意味する。結石回収ツール３６の後退または閉鎖は、回収ツール３６の回収部分５２がその外筒５６内へ後に引っ込められること、または目標の結石片を「捕捉する」ことを意味する。これらの語句のいずれも外筒および回収デバイスの回収部分の間の相対運動機構を制限することを意味しない。さらに後述の例から分かるように、回収部分は、静止した外筒に対して動くことができ、外筒は、静止したバスケットに対して動くことができるか、または回収部分および外筒の両方が互いに対して同時に動くことができる。
【００２９】
また図１３〜図１４を参照すると、内視鏡装置の制御部の別の例示的な実施形態が示されている。この例において、制御部１１６は、ハウジング１１８、スライダー１２０（作動機構）およびトランスミッション１２２を備える。ハウジング１１８は、例えばコネクタ１１０またはコネクタ７４’などのコネクタを有することができる。トランスミッション１２２は、スライダー１２０上のラック部１２４、ウォームギア１２８に接続されたピニオン部１２６、およびウォームギアフォロア１３０を備える。シャフト部５４の近位端部は、ウォームギアフォロア１３０に接続される。スライダー１２０がハウジング１１８上で長軸方向の方向１１２へ動かされると、ラック部１２４は、矢印１３２によって示されるようにピニオン部１２６を回転させる。ピニオン部１２６の回転が、ウォームギア１２８を軸方向に回転させ、それが今度は矢印１３４によって示されるようにフォロア１３０を長軸方向に移動させる。フォロア１３０が移動すると、バスケットデバイスのシャフト部５４は、外筒５６に対して長軸方向に移動する。別の例において、任意の適切なトランスミッションを設けることができる。
【００３０】
また図１５を参照すると、他の別の例示的な実施形態が示されている。この例において、内視鏡装置は、内視鏡ツール３６および制御部１３６を備える。制御部１３６は、ハウジング１３８、スライダー１４０（作動機構）、およびトランスミッション１４２を含む。ハウジング１３８は、例えばコネクタ１１０またはコネクタ７４’などのコネクタを有することができる。トランスミッション１４２は、枢動可能な連結部１４６によってハウジング１３８に接続された枢動アーム１４４を含む。枢動アーム１４４の逆端部は、スライダー１４０および外筒５６の近位端部に接続される。シャフト部５６の近位端部は、ハウジング１３８に固定される。スライダー１４０が矢印１１２によって示されるように長軸方向に移動すると、外筒５６の近位端部は、シャフト部５４に対して長軸方向に移動し、それにより内視鏡ツールは、伸長形態および後退形態の間で移動する。外筒５６の近位端部が、Ｐ０にある場合、シャフトはバスケット部の上に配置される。外筒５６の近位端部がＰ１にある場合、バスケット部は、外筒の遠位端部の前の拡大位置へ露出される。
【００３１】
また図１６を参照すると、他の別の例示的な実施形態が示されている。この例において、内視鏡装置は、内視鏡ツール３６および制御部１４８を備える。制御部１４８は、ハウジング１５０、スライダー１５２（作動機構）、およびトランスミッション１５４を含む。ハウジング１５０は、例えばコネクタ１１０またはコネクタ７４’などのコネクタを有することができる。外筒５６の近位端部は、ハウジング１５０に固定的に接続される。トランスミッション１５４は、Ｖ形バネ１５６を含む。Ｖ形バネ１５６の一端部は、ハウジングに固定的に接続され、およびＶ形バネ１５６の他端部は、内視鏡ツール３６のシャフト部５４に接続される。図１６は、Ｖ形バネ、シャフト部５４およびホームポジションＰ０のスライダー１５２を示す。バスケットデバイス５０の近位端部がＰ０にある場合、シャフトは、バスケット部の上に配置される。スライダー１５２が移動すると、スライダーの端部１５８は、Ｖ形バネ１５６を位置Ｐ１にゆがめることができ、それによりバスケットデバイス５０が位置Ｐ１に移動する。バスケットデバイス５０の近位端部がＰ１にある場合、バスケット部は、外筒の遠位端部の前の拡大位置へ露出される。
【００３２】
また図１７を参照すると、他の別の例示的な実施形態が示されている。この例において、内視鏡装置は、内視鏡ツール３６および制御部１６０を備える。制御部１６０は、ハウジング１５０、スライダー１５２、およびトランスミッション１５４を含む。ハウジング１５０は、例えばコネクタ１１０またはコネクタ７４’などのコネクタを有することができる。シャフト部５４の近位端部は、ハウジング１５０に固定的に接続される。トランスミッション１５４は、Ｖ形バネ１５６を含む。Ｖ形バネ１５６の一端部は、ハウジングに固定的に接続され、およびＶ形バネ１５６の他端部は、内視鏡ツール３６の外筒５６に接続されている。図１７は、Ｖ形バネ、シャフト部５４および位置Ｐ０のスライダー１５２を示す。外筒５６の近位端部がＰ０にある場合、バスケット部は、外筒の遠位端部の前の拡大位置へ露出される。スライダー１５２が移動すると、スライダーの端部１５８は、Ｖ形バネ１５６を歪めることができ、外筒５６を位置Ｐ１へ移動させる。Ｐ１では、シャフトは、バスケット部の上に配置される。図１７の例示的な実施形態においては、外筒５６がバスケットデバイス５０に対して長軸方向に移動し、図１６の例示的な実施形態においては、バスケットデバイス５０が外筒５６に対して長軸方向に移動する。図１８においては、バスケットデバイス５０および外筒５６の両方がハウジング１５０に対して長軸方向に移動する。
【００３３】
図１８から明らかなように、この例において、内視鏡装置は、内視鏡ツール３６および制御部１６２を備える。制御部１６２は、ハウジング１５０、スライダー１５２、およびトランスミッション１６４を含む。ハウジング１５０は、例えばコネクタ１１０またはコネクタ７４’などのコネクタを有することができる。トランスミッション１６４は、Ｖ形バネ１５６を含む。シャフト部５４の近位端部は、Ｖ形バネ１５６に接続される。外筒５６の近位端部は、Ｖ形バネ１５６の他端部に接続される。Ｖ形バネ１５６を真っ直ぐにするようにスライダー１５２が動くと、Ｐ０からＰ１へバスケットデバイス５０は前方へ動き、かつ外筒は後へ動く。
【００３４】
外筒およびバスケットデバイスを作動させるために追加的な代替の実施形態を使用することができることが考慮される。このようなデバイスは、内視鏡の先端部の偏向制御およびバスケットおよび外筒の動きの制御が使用者の１本の指で可能となるように、取り外し可能に内視鏡レバーに取り付けることができる。例えば、バスケットデバイスおよび外筒の動きを制御する制御ケーブルは、作動機構に直接接続することができる。作動機構は、親指スライダー以外のものであることが考えられる。一例として、作動機構は、ジョイスティック制御、回転ホイール、１組の回転ホイール、枢動可能なロッド、プッシュロッド、制御ケーブルを周囲に巻きつけたドラム枢動とすることができる。記載された作動機構は、例えば内視鏡ハンドルの制御レバーに取り外し可能に取り付けられる。
【００３５】
バスケット５４および外筒５６を作動するために用いられる１組の回転ホイール１７０および１７１を示す例示的な実施形態が図１９に示される。例えば外筒５６の動きを制御する制御ケーブルは、点１８１にて１つのホイールに接続されることができ、バスケット５４の動きを制御する制御ケーブルは、点１８０にて別のホイールに接続されることができる。ロック機構は、２つのホイール１７０および１７１のために設けられ得るロック７３に接続されるスライダー１７２を含むことができ、バスケット５４および外筒５６は、必要な場合に同時に動くことができ、これは、バスケットおよび外筒操作の柔軟性および制御を向上させる。図２０は、内視鏡の制御レバーに取り付けるための取り外し可能な機構に配置された、バスケットおよび外筒を作動する、１組の回転ホイールの例示的な実施形態を示し、バスケットおよび外筒アセンブリを回転させるために追加的に設けられた回転機能を有する。
【００３６】
バスケットおよび外筒の作動を制御するためのジョイスティック作動部を示す例示的な実施形態が図２１に示される。ジョイスティック１９５は、第１方向１９０または第２方向１９１に動くことができる。ジョイスティック１９５の第１方向１９０への動きが枢動点１９３回りの回転を引き起こし、バスケット５４を動かす。ジョイスティック１９５の第２方向１９１への動きが、第２枢動点回りの移動、およびリンク機構１９４を介したブロック２０３の移動を引き起こす。この動きが今度はローラー２０４を摺動させ、外筒５６の移動を作動する。例えば左から右へのジョイスティックコントローラの動きは、バスケットの移動を制御し、かつジョイスティックの上下の動きが外筒の移動を制御するだろう。図２２は、内視鏡の制御レバーに取り付取り外し可能な機構に配置された、バスケットおよび外筒を作動するためのジョイスティック機構の例示的な実施形態を示し、バスケットおよび外筒アセンブリを回転させるために回転機能が追加的に設けられている。このような機構により、内視鏡遠位端部の偏向の動き、バスケットの操作、および外筒の操作が使用者の１本の指で可能になる。
【００３７】
図２３は、バスケットおよび外筒アセンブリを回転させるための回転機能が設けられた、内視鏡の制御レバーに取り付けるための取り外し可能な機構に配置された、バスケットおよび外筒を作動するための代替のジョイスティック機構の例示的な実施形態を示す。ジョイスティック１９５は、第１方向１９０、または第２方向１９１に動くことができる。この実施形態において、硬い可撓性のケーブル２１０が枢動ジョイント２１２を通り枢動ブロック２１１に接続され、湾曲導管を通り導かれる。導管は、９０度曲がっている。これは、枢動ブロックの左右の動きを直線的な出し入れの動きに変換して外筒を作動させる。例えばジョイスティックコントローラの左から右への動きは、バスケットの移動を制御し、かつジョイスティックの上下の動きは、外筒の移動を制御する。
【００３８】
そのうえ、バスケットおよび外筒の移動を制御するために、またはバスケット、外筒の移動および内視鏡遠位端部の偏向を制御するために、ロボット作動機構を使用することができることが考えられる。例えば、作動レバー、ダイアル、またはジョイスティックが作動する場合に動きを駆動するために電気モーターを利用することができる。
【００３９】
例示的な実施形態の１つのタイプにおいて、医療装置は、湾曲部およびハンドル部を備える内視鏡と、エフェクタ部およびエフェクタ部に接続された少なくとも１つの制御ワイヤーを有する内視鏡治療用装置と、内視鏡治療用装置を内視鏡に接続するための連結部であって、制御ワイヤーをハンドル部の面に沿って延在するよう構成された連結部と、ハンドル部に配置され、かつ湾曲部を制御するために第１方向に直線的に移動するよう構成された制御レバーと、制御レバーに配置され、かつ第２方向に直線的に移動するよう構成されたスライダーであって、エフェクタ部を制御するために制御ワイヤーの近位端部に接続するよう構成された連結部を含むスライダーとを備える。
【００４０】
例示的な実施形態の１つのタイプにおいて、医療装置は、互いに対して長軸方向にスライド可能な第１および第２部材を備える内視鏡ツールと、内視鏡ツールの近位端部に接続された制御部であって、制御部は、ハウジングおよびスライダーを備え、スライダーは、長軸方向摺動可能にハウジングに接続され、スライダーは、そこに接続された第１部材および／または第２部材を有し、およびハウジングは、ハウジングを内視鏡の制御部に取り外し可能に接続するよう構成されたコネクタを備える、制御部とを備える。
【００４１】
第１部材は、外筒を備えることができ、かつ第２部材は、バスケットデバイスを備える。外筒の近位端部は、スライダーに接続されることができ、およびバスケットデバイスの近位端部は、ハウジングに接続される。バスケットデバイスの近位端部は、スライダーに接続されることができ、および外筒の近位端部は、ハウジングに接続される。コネクタは、内視鏡の制御部の偏向制御レバーに長軸方向にスライドオンするような大きさと形にすることができる。コネクタは、内視鏡の制御部の偏向制御レバーに弾性的にスナップオンするような大きさと形にすることができる。第１部材および／または第２部材のスライダーへの連結は、ラックおよびピニオン構成を備えることができる。第１部材および／または第２部材のスライダーへの連結は、枢動部材を備えることができる。第１部材および／または第２部材のスライダーへの連結は、バネ部材を備えることができる。バネ部材は、Ｖ形を備えることができる。
【００４２】
例示的な方法は、内視鏡の作業チャネルへ内視鏡装置の遠位端部を挿入するステップであって、内視鏡装置が内視鏡ツールを備え、内視鏡ツールが互いに対して長軸方向にスライド可能な第１および第２部材を備える、ステップと、内視鏡装置の近位端部を内視鏡の制御部に取り外し可能に接続するステップであって、近位端部がハウジングおよびスライダーを備え、スライダーは、ハウジングに摺動可能に接続され、スライダーは、そこに接続された第１部材および／または第２部材を有し、かつハウジングは、ハウジングを内視鏡の制御部に取り外し可能に接続するコネクタを備える、ステップと、を備えることができる。
【００４３】
第１部材は、外筒を備えることができ、かつ第２部材は、バスケットデバイスを備え、内視鏡装置の遠位端部を内視鏡の作業チャネルに挿入するステップは、外筒およびバスケットデバイスの遠位端部を作業チャネルに挿入するステップを備える。内視鏡装置の近位端部を内視鏡の制御部に取り外し可能に接続するステップは、内視鏡の制御部の偏向制御レバー上をハウジングが長軸方向に摺動するステップを備えることができる。内視鏡装置の近位端部を内視鏡の制御部に取り外し可能に接続するステップは、ハウジングを内視鏡の制御部の偏向制御レバーに弾性的にスナップさせるステップを備えることができる。
【００４４】
例示的な方法は、内視鏡ツールを設けるステップであって、内視鏡ツールは、互いに対して長軸方向にスライド可能な第１および第２部材を備える、ステップと、制御部を内視鏡ツールの近位端部に接続するステップであって、制御部は、ハウジングおよびスライダーを備え、スライダーは、ハウジングに長軸方向に摺動可能に接続され、スライダーは、そこに接続された第１部材および／または第２部材を有し、かつハウジングは、ハウジングを内視鏡の制御部に取り外し可能に接続するよう構成されたコネクタを備える、ステップとを備えることができる。
【００４５】
第１部材の近位端部は、スライダーに接続されることができ、かつ第２部材の近位端部は、ハウジングに接続される。コネクタは、内視鏡の制御部の偏向制御レバーに長軸方向にスライドオンするような大きさと形にすることができる。コネクタは、内視鏡の制御部の偏向制御レバーに弾性的にスナップオンするような大きさと形にすることができる。
【００４６】
例示的な実施形態は、医療装置に設けることができ、医療装置は、互いに対して長軸方向に摺動可能な第１および第２部材を備える内視鏡ツールと、内視鏡ツールの近位端部に接続された制御部であって、制御部は、ハウジングおよび作動機構を備え、作動機構はハウジングに接続され、作動機構は、そこに接続された第１部材および／または第２部材を有し、かつハウジングは、ハウジングを内視鏡の偏向制御レバーに取り外し可能に接続するよう構成されたコネクタを備える、制御部とを備える。
【００４７】
第１部材は、外筒を備えることができ、かつ第２部材は、バスケットデバイスを備える。外筒の近位端部は、作動機構に接続されることができ、およびバスケットデバイスの近位端部は、ハウジングに接続される。バスケットデバイスの近位端部は、作動機構に接続されることができ、かつ外筒の近位端部は、ハウジングに接続される。コネクタは、内視鏡の制御部の偏向制御レバーに長軸方向にスライドオンするような大きさと形にすることができる。コネクタは、内視鏡の制御部の偏向制御レバーに弾性的にスナップオンするような大きさと形にすることができる。第１部材および／または第２部材の作動機構への連結は、ラックおよびピニオン構成を備えることができる。第１部材および／または第２部材の作動機構への連結は、枢動部材を備えることができる。第１部材および／または第２部材の作動機構への連結は、バネ部材を備えることができる。バネ部材は、Ｖ形を備えることができる。
【００４８】
例示的な方法は、内視鏡装置の遠位端部を内視鏡の作業チャネルへ挿入するステップであって、内視鏡装置は、内視鏡ツールを備え、内視鏡ツールは、互いに対して長軸方向摺動可能な第１および第２部材を備える、ステップと、内視鏡装置の近位端部を内視鏡の制御部の偏向制御レバーに取り外し可能に接続するステップであって、近位端部は、ハウジングおよび作動機構を備え、作動機構は、ハウジングに摺動可能に接続され、作動機構は、そこに接続された第１部材および／または第２部材を有し、かつハウジングは、ハウジングを内視鏡の制御部に取り外し可能に接続するコネクタを備える、ステップと、を備えることができる。
【００４９】
第１部材は、外筒を備えることができ、および第２部材は、バスケットデバイスを備え、内視鏡装置の遠位端部を内視鏡の作業チャネルに挿入するステップは、外筒およびバスケットデバイスの遠位端部を作業チャネルに挿入するステップを備える。内視鏡装置の近位端部を内視鏡の制御部の偏向制御レバーに取り外し可能に接続するステップは、偏向制御レバーの上でハウジングを長軸方向に摺動するステップを備えることができる。内視鏡装置の近位端部を内視鏡の制御部の偏向制御レバーに取り外し可能に接続するステップは、偏向制御レバーにハウジングを弾性的にスナップするステップを備えることができる。
【００５０】
例示的な方法は、内視鏡ツールを設けるステップであって、内視鏡ツールは、互いに対して長軸方向に摺動可能な第１および第２部材を備える、ステップと、制御部を内視鏡ツールの近位端部接続するステップであって、制御部は、ハウジングおよび作動機構を備え、作動機構は、ハウジングに長軸方向に摺動可能に接続され、作動機構は、そこに接続された第１部材および／または第２部材を有し、およびハウジングは、ハウジングを内視鏡の制御部の偏向制御レバーに取り外し可能に接続するよう構成されたコネクタを備える、ステップと、を備えることができる。
【００５１】
第１部材の近位端部は、作動機構に接続されることができ、および第２部材の近位端部は、ハウジングに接続されることができる。コネクタは、内視鏡の制御部の偏向制御レバーに長軸方向にスライドオンするような大きさと形にすることができる。コネクタは、内視鏡の制御部の偏向制御レバーに弾性的にスナップオンするような大きさと形にすることができる。
【００５２】
例示的な実施形態は、医療装置に設けることができ、医療装置は、湾曲部およびハンドル部を備える内視鏡と、エフェクタ部およびエフェクタ部に接続された少なくとも１つの制御ワイヤーを有する内視鏡治療用装置と、内視鏡治療用装置を内視鏡に接続する連結部であって、ハンドル部の表面に沿って制御ワイヤーを延在するよう構成された連結部と、ハンドル部分に配置され、かつ湾曲部を制御するために第１方向に直線的に移動するよう構成された制御レバーと、制御レバーに配置され、かつ第２方向に直線的に移動するよう構成された作動機構とを備え、作動機構は、エフェクタ部を制御するために制御ワイヤーの近位端部に接続するよう構成された連結部を含む。
【００５３】
例示的な実施形態は、医療装置に設けることができ、該医療装置は、互いに対して長軸方向に摺動可能な第１および第２部材を備える内視鏡ツールと、内視鏡ツールの近位端部に接続された制御部であって、制御部は、ハウジングおよび作動機構を備え、作動機構はハウジングに接続され、作動機構はそこに接続された第１部材および／または第２部材を有し、およびハウジングは、ハウジングを内視鏡の偏向制御レバーに取り外し可能に接続するよう構成されたコネクタを備える、制御部とを備え、作動機構は、第１方向に移動可能、かつ第２方向に移動可能なジョイスティック制御部であり、第１方向の移動は第１部材の作動を提供し、かつ第２方向の移動は第２部材の作動を提供する。第１方向へのジョイスティックの動きを介して第１部材を作動させるために、ジョイスティック制御部は、導管を通り導かれる硬い可撓性のケーブルに接続されることができる。
【００５４】
例示的な方法は、内視鏡装置の遠位端部を内視鏡の作業チャネルに挿入するステップであって、内視鏡装置が内視鏡ツールを備え、内視鏡ツールが互いに対して長軸方向に摺動可能な第１および第２部材を備えるステップと、内視鏡装置の近位端部を内視鏡の制御部の偏向制御レバーに取り外し可能に接続するステップであって、近位端部がハウジングおよび作動機構を備え、作動機構はハウジングに摺動可能に接続され、作動機構は、そこに接続された第１部材および／または第２部材を有し、かつハウジングは、ハウジングを内視鏡の制御部に取り外し可能に接続するコネクタを備える、ステップとを備えることができ、作動機構は、第１方向に移動可能、かつ第２方向に移動可能なジョイスティック制御部であり、第１方向への動きは、第１部材の作動を提供し、かつ第２方向への移動は、第２部材の作動を提供する。
【００５５】
例示的な方法は、内視鏡ツールを設けるステップであって、内視鏡ツールが互いに対して長軸方向に摺動可能な第１および第２部材を備える、ステップと、制御部を内視鏡ツールの近位端部に接続するステップであって、制御部は、ハウジングおよび作動機構を備え、作動機構は、長軸方向に摺動可能にハウジングに接続され、作動機構は、そこに接続された第１部材および／または第２部材を有し、かつ、ハウジングは、ハウジングを内視鏡の制御部の偏向制御レバーに取り外し可能に接続するよう構成されたコネクタを備える、ステップとを備えることができ、作動機構は、第１方向に移動可能、かつ第２方向に移動可能なジョイスティック制御部であり、第１方向への動きは、第１部材の作動を提供し、かつ第２方向への動きは、第２部材の作動を提供する。
前述の説明は単なる例示であることが理解されるべきである。 当業者によって様々な代替形および改良が考案され得る。 例えば、様々な従属請求項に記載される特徴は、 任意に適切な組み合わせで互いに組み合わさることが可能である。 さらに、上述の異なる実施形態からの特徴を選択的に新しい 実施形態に組み込むことができる。したがって、当該記載は、特許請求の範囲内にある全てのこのような代替形、 改良、および変更を包含することを意図している。
【符号の説明】
【００５６】
１０  内視鏡
１２  制御部分
１４  シャフト
１６  受動的偏向部
１８  能動的偏向部
２０  遠位端部
２２  制御システム
２４  作業チャネル
２６  フレーム
２８  作動装置
３０  内視鏡偏向レバー
３６  ツール
５０  バスケットデバイス
５２  回収部分
５４  シャフト部
５６  外筒
６０  ポート
７２  ツール作動装置
７８  スライド部材
【図１】
0006290376.tif 000002
【図２】
0006290376.tif 000003
【図３Ａ】
0006290376.tif 000004
【図３Ｂ】
0006290376.tif 000005
【図４Ａ】
0006290376.tif 000006
【図４Ｂ】
0006290376.tif 000007
【図５Ａ】
0006290376.tif 000008
【図５Ｂ】
0006290376.tif 000009
【図６】
0006290376.tif 000010
【図７】
0006290376.tif 000011
【図８】
0006290376.tif 000012
【図９】
0006290376.tif 000013
【図１０】
0006290376.tif 000014
【図１１】
0006290376.tif 000015
【図１２】
0006290376.tif 000016
【図１３】
0006290376.tif 000017
【図１４】
0006290376.tif 000018
【図１５】
0006290376.tif 000019
【図１６】
0006290376.tif 000020
【図１７】
0006290376.tif 000021
【図１８】
0006290376.tif 000022
【図１９】
0006290376.tif 000023
【図２０】
0006290376.tif 000024
【図２１】
0006290376.tif 000025
【図２２】
0006290376.tif 000026
【図２３】
0006290376.tif 000027